(57)【要約】【課題】  この発明は、フリッカ発生時にのみランプ電流にパルスを重畳させることができ、ランプ寿命を延ばすことができるとともにパルスノイズの信号系への影響を低減化できる液晶プロジェクタを提供することを目的とする。【解決手段】  投射用ランプの駆動電流にパルスを重畳するためのパルス重畳回路を備えた液晶プロジェクタにおいて、投射用ランプのランプ電極間の電圧（以下、ランプ電圧という）を検出する検出手段、検出手段によって検出されるランプ電圧の変動に基づいて、フリッカが発生しているか否かを判別する判別手段、ならびに判別手段によってフリッカが発生していると判別されたときに、パルス重畳回路によって、一定期間、投射用ランプの駆動電流にパルスを重畳させる制御手段を備えている。【選択図】  図１
2006047925.tif 000002
【特許請求の範囲】
【請求項１】
投射用ランプの駆動電流にパルスを重畳するためのパルス重畳回路を備えた液晶プロジェクタにおいて、投射用ランプのランプ電極間の電圧（以下、ランプ電圧という）を検出する検出手段、検出手段によって検出されるランプ電圧の変動に基づいて、フリッカが発生しているか否かを判別する判別手段、ならびに判別手段によってフリッカが発生していると判別されたときに、パルス重畳回路によって、一定期間、投射用ランプの駆動電流にパルスを重畳させる制御手段を備えていることを特徴とする。
【発明の詳細な説明】
【技術分野】
【０００１】
この発明は、液晶プロジェクタに関する。
【背景技術】
【０００２】
最近の液晶プロジェクタに使用されている高圧水銀ランプ（投射用ランプ）は、明るさの向上化にともなって、超高圧仕様になりつつある。そのため、電極のアーク集中化によるアークジャンプや電極表面の温度低下によるランプ内の水銀気流の乱れにより、アークの飛ぶ位置が変化し、フリッカの発生確率が高くなっている。
【０００３】
そこで、フリッカの発生確率を低減させるために、ランプバラストにおいてランプ電流にパルスを常時重畳させ、アークの移動防止および電極温度の安定化を行っている。
【０００４】
従来においては、フリッカの発生の有無にかかわらず、ランプ駆動電流にパルスを常時重畳させている。このように、ランプ駆動電流にパルスを常時重畳させると、ランプの電極の磨耗が促進し、ランプ寿命を短くするおそれがある。また、重畳パルスのレベルによっては、パルスノイズが信号系に影響し、画面ノイズとなって現れる可能性がある。
【発明の開示】
【発明が解決しようとする課題】
【０００５】
この発明は、フリッカ発生時にのみランプ電流にパルスを重畳させることができ、ランプ寿命を延ばすことができるとともにパルスノイズの信号系への影響を低減化できる液晶プロジェクタを提供することを目的とする。
【課題を解決するための手段】
【０００６】
請求項１に記載の発明は、投射用ランプの駆動電流にパルスを重畳するためのパルス重畳回路を備えた液晶プロジェクタにおいて、投射用ランプのランプ電極間の電圧（以下、ランプ電圧という）を検出する検出手段、検出手段によって検出されるランプ電圧の変動に基づいて、フリッカが発生しているか否かを判別する判別手段、ならびに判別手段によってフリッカが発生していると判別されたときに、パルス重畳回路によって、一定期間、投射用ランプの駆動電流にパルスを重畳させる制御手段を備えていることを特徴とする。
【発明の効果】
【０００７】
この発明によれば、フリッカ発生時にのみランプ電流にパルスを重畳させることができ、ランプ寿命を延ばすことができるとともにパルスノイズの信号系への影響を低減化できるようになる。
【発明を実施するための最良の形態】
【０００８】
以下、図面を参照して、この発明の実施例について説明する。
【実施例１】
【０００９】
図１は、主として液晶プロジェクタに設けられたランプバラストユニットの構成を示している。
【００１０】
ＡＣプラグは電源回路１に接続されている。電源回路１は、液晶プロジェクタのメインＣＰＵ４およびランプバラストユニット２に電力を供給する。ランプバラストユニット２は、投射用ランプ３に接続されている。ランプバラストユニット２は、液晶プロジェクタのメインＣＰＵ４にも接続されている。メインＣＰＵ４は、電源回路１およびランプバラストユニット２を制御する。
【００１１】
ランプバラストユニット２は、電力制御回路１１、ＤＣ／ＡＣ変換回路１２、高圧発生回路１３、ランプ電圧検出回路１４、パルス重畳回路１５およびサブＣＰＵ１６を備えている。サブＣＰＵ１６は、メインＣＰＵ４に接続されている。
【００１２】
電源回路１によって生成された直流の電力は、電力制御回路１１を介してＤＣ／ＡＣ変換回路１２に送られる。ＤＣ／ＡＣ変換回路１２は、直流の電力を交流の電力に変換する。ＤＣ／ＡＣ変換回路１２によって生成された交流の電力（ランプ駆動電流）は、高圧発生回路１３を介して投射用ランプ３に供給される。高圧発生回路１３は、投射用ランプ３の点灯開始時に、高圧電力を生成して、投射用ランプ３に供給する。投射用ランプ３が点灯した後においては、ＤＣ／ＡＣ変換回路１２によって生成された交流の電力（ランプ駆動電流）が、高圧発生回路１３をスルーして投射用ランプ３に供給される。ランプ電圧検出回路１４は、ランプ点灯状態時のランプ電極間の電圧（ランプ電圧）を検出する。サブＣＰＵ１６は、ランプバラストユニット２内の各部を制御するとともに、メインＣＰＵ４との通信を行う。ランプ電圧検出回路１４によって検出されたランプ電圧は、サブＣＰＵ１６を介してメインＣＰＵ４に送られる。
【００１３】
メインＣＰＵ４は、１ｓｅｃ以下の所定時間内において所定電圧（例えば、０．５Ｖ）以上のランプ電圧の変動があったか否かを判別し、１ｓｅｃ以下の所定時間内において所定電圧以上のランプ電圧の変動があった場合には、フリッカが発生していると判別し、サブＣＰＵ１６を介してパルス重畳回路１５によってＤＣ／ＡＣ変換回路１２の出力電流にパルスを一定期間重畳させる。
【００１４】
図２（ａ）は、ＤＣ／ＡＣ変換回路１２から出力される電流波形、つまり通常時のランプ駆動電流の波形を示し、図２（ｂ）はＤＣ／ＡＣ変換回路１２の出力電流（ランプ駆動電流）にパルスが重畳された場合の電流波形を示している。
【００１５】
図３は、メインＣＰＵ４によるパルス重畳制御処理手順を示している。
【００１６】
まず、ランプが点灯すると（ステップＳ１）、ランプ駆動電流が安定するのに必要な所定時間Ｔ１が経過したか否かを判別する（ステップＳ２）。所定時間Ｔ１は、例えば、２分に設定される。
【００１７】
ランプ点灯後に所定時間Ｔ１が経過したときには、ランプ電圧Ｖn の取込みが開始される（ステップＳ３）。ランプ電圧Ｖn の取込みは１００ｍｓ毎に行われる。
【００１８】
ランプ電圧Ｖn を取り込むと、今回取り込んだランプ電圧Ｖn と前回取り込んだランプ電圧Ｖn-1 との差の絶対値ΔＶを算出する（ステップＳ４）。そして、ΔＶが所定値Ｖｔｈより大きいか否かを判別する（ステップＳ５）。所定値Ｖｔｈは、例えば０．５〔Ｖ〕に設定される。ΔＶが所定値Ｖｔｈ以下のときには、カウンタＫをリセット（Ｋ＝０）した後（ステップＳ６）、ステップＳ３に戻る。
【００１９】
上記ステップＳ５において、ΔＶが所定値Ｖｔｈより大きいときには、カウンタＫをアップカウント（Ｋ＝Ｋ＋１）した後（ステップＳ７）、カウント値Ｋが所定値Ｋｏより大きいか否かを判別する（ステップＳ８）。所定値Ｋｏは、例えば、５回に設定される。カウント値Ｋが所定値Ｋｏ以下である場合には、ステップＳ３に戻る。
【００２０】
上記ステップＳ８において、カウント値Ｋが所定値Ｋｏより大きいと判別したときには、つまり、（Ｋｏ＋１）回、連続してΔＶが所定値Ｖｔｈを越えた場合には、フリッカが発生していると判別し、カウンタＫをリセット（Ｋ＝０）した後（ステップＳ９）、パルス重畳回路１５を駆動させるための制御信号（パルスＯＮ信号）を出力する（ステップＳ１０）。これにより、パルス重畳回路１５からパルスが出力されるので、ＤＣ／ＡＣ変換回路１２の出力電流にパルスが重畳される。この後、所定時間Ｔ２が経過するのを待つ（ステップＳ１１）。所定時間Ｔ２は、たとえば、６０ｓｅｃに設定される。
【００２１】
所定時間Ｔ２が経過すると、パルス重畳回路１５を駆動停止させるための制御信号（パルスＯＦＦ信号）を出力する（ステップＳ１２）。これにより、パルス重畳回路１５が駆動停止せしめられ、ＤＣ／ＡＣ変換回路１２の出力電流にパルスが重畳されなくなる。この後、ステップＳ３に戻る。なお、ランプ消灯指令が入力されることによって、パルス重畳制御処理は終了する。
【００２２】
上記実施例では、ランプ駆動電流が交流の場合について説明したが、ランプ駆動電流が直流の場合にも、この発明を適用することができる。
【図面の簡単な説明】
【００２３】
【図１】主として液晶プロジェクタに設けられたランプバラストユニットの構成を示すブロック図である。
【図２】ＤＣ／ＡＣ変換回路１２から出力される電流、つまり通常時のランプ電流と、ＤＣ／ＡＣ変換回路１２の出力電流にパルスが重畳された場合のランプ電流とを示す波形図である。
【図３】メインＣＰＵ４によるパルス重畳制御処理手順を示すフローチャートである。
【符号の説明】
【００２４】
１  電源回路
２  ランプバラストユニット
３  投射用ランプ
４  メインＣＰＵ
１１  電力制御回路
１２  ＤＣ／ＡＣ変換回路
１３  高圧発生回路
１４  ランプ電圧検出回路
１５  パルス重畳回路
１６  サブＣＰＵ
【図１】
2006047925.tif 000003
【図２】
2006047925.tif 000004
【図３】
2006047925.tif 000005